(57)【要約】【課題】ディスプレイ画面を見ながらプッシュボタン等を操作するメール通信や文書作成等の際に、本体部が親指を使って操作し易い傾斜した状態で携帯情報端末機を片手で把持した場合でも、ディスプレイ画面の向く方向及びその左右の傾斜を自在に調整することにより、画面の向きを使用者の視線に合うように調整する。【解決手段】ディスプレイ画面を有する表示部を、その縦方向の軸線を中心として回動可能且つ本体部の縦方向の軸線に対し左右方向の内少なくとも一方に傾動可能に本体部に接続する。【選択図】　　　　図８
2004032080.tif 000002
【特許請求の範囲】
【請求項１】
表面に操作部を有する本体部と表面にディスプレイ画面を有する板状の表示部とが、接続部を介して一体的に連結されているとともに、前記表示部は前記接続部においてその縦方向の軸線を中心として回動可能且つ前記本体部の縦方向の軸線に対して左右方向の内少なくとも一方に傾動可能であることを特徴とする携帯情報端末機。
【請求項２】
前記表示部が、その縦方向の軸線を前記本体部に対して略横向きになるまで傾動可能である請求項１記載の携帯情報端末機。
【請求項３】
前記本体部と前記表示部の表面同士が、互いに１８０度よりも狭角の角度を有して連結されている請求項１または２記載の携帯情報端末機。
【請求項４】
前記本体部と前記表示部とが、それぞれの表面同士を内側にして互いに開閉可能である請求項１，２または３記載の携帯情報端末機。
【請求項５】
前記接続部が、自在蝶番及び前記表示部をその縦方向の軸を中心として回動可能な枢着部とを備えている請求項４記載の携帯情報端末機。
【請求項６】
前記接続部が、前記本体部と前記表示部とを開閉可能に接続する第１枢着部と、前記第１枢着部の軸に直交する軸を中心に前記表示部を前記本体部の縦方向の軸線に対し傾動可能に接続する第２枢着部と、前記表示部の縦方向の軸線を中心に前記表示部を回動可能に接続する第３枢着部とを備える請求項４記載の携帯情報端末機。
【発明の詳細な説明】
【０００１】
【発明の属する技術分野】
本発明は、携帯電話機、超小型ノート型パーソナルコンピュータや電子手帳などのＰＤＡ、携帯型ゲーム機等、特に表面に操作部を有する本体部と表面にディスプレイ画面を有する表示部とを備えた携帯情報端末機に関するものである。
【０００２】
【従来の技術】
近年の情報化時代においては、携帯電話機やＰＤＡ等の携帯情報端末機の高機能化が進み、音声通信に加えてディスプレイを用いた画像通信が可能となるとともに、高機能でもコンパクトな機器類が普及している。特に携帯電話機においては、ディスプレイ画面を大きくしつつ、全体としての小型化を実現している携帯電話機や、本体部とディスプレイを有する表示部とを別体として、不使用時には折り畳んでコンパクトな形状にする折り畳み式の携帯電話機が普及している。また、ＰＤＡにおいても係る携帯電話機の形状に近似する傾向があり、小型化をはかりつつ通常のパーソナルコンピュータに接近した機能をも実現している。
【０００３】
係る携帯情報端末機は、片手で把持しやすいような形状であって、比較的大きな画面を目視しながら、把持した手の親指を用いながらプッシュボタンの操作を行うこともできるため、メール通信等に適している。
しかし、これらの携帯情報端末機は、把持した手の親指を用いて操作するため、使用者の手の構造上操作しやすい持ち方で把持すると、ディスプレイ画面が使用者にとって前後・左右に傾斜した状態となり、又、ディスプレイ画面を自分の視線に対し直角及び水平に向けると、プッシュボタンの操作が難しくなり、操作する親指に負担がかかるため、長時間の操作を行えば親指が疲れたり、親指に痛みを伴うことも多かった。
【０００４】
一方、最近においては、携帯情報端末機のディスプレイはカラー液晶画面を使用して、さまざまな色彩を用いた通信も可能となり、さらにＴＶ電話や映画も楽しめるようになった。しかし、カラー液晶で画像を表示する場合、弱い光源でも使用者にとって明るく見やすい画面とするため、例えば特開平１１−８４３１８号公報や特開２００１−１１６９０８号公報に提示されている液晶ディスプレイのように、正面方向に光を集中する技術が広く普及している。係るディスプレイを用いた携帯電話機は、本人以外の者から覗き見されるのを防ぐためにも有効であるが、ディスプレイ画面を操作者の視線に直角に保持することの必要性が大きくなっている。
【０００５】
このため、特開平８−３２１８６３号公報には、表示部の縦方向の軸線を中心として表示部が回動可能に枢着された携帯電話機が提示されており、携帯電話機を片手に把持した状態において、使用者の視線方向にディスプレイ画面を向けることができるため、目視しやすい画面状態とすることができる。
【０００６】
しかしながら、この携帯電話機を含め従来の携帯情報端末機は、例えばメール通信を行うときは、使用者が右利きの場合には把持している右手の親指でプッシュボタンを操作し易いように把持することから、ディスプレイ画面の水平線（横方向の基準線）は左傾斜となり易く、左利きの場合が右傾斜になりやすいため、横書きのメール文においては文字列が傾いて判読しにくい場合もあった。
【０００７】
そこで、本願発明者は、先に、表示部を本体部に対しＶ字状に拡開させる構造にして、横長の大型ディスプレイ画面を使用者にとって水平に保持しやすい形状の折り畳み式携帯電話機を開発した（特願２００１−１３５７６５号）。
この携帯電話機は拡開するとＶ字状に開いて縦長のディスプレイ画面が自動的に横長となり、横長の状態で使用できるので、ディスプレイ画面の水平線が使用者にとって水平に目視でき、しかも、操作部のプッシュボタンを親指で操作し易い、ディスプレイ画面を有する表示部と操作部を有する本体部との角度が三次元で出来あがり、操作部を操作しやすい状態で把持してもディスプレイ画面を真正面で目視でき、横書きのメール文の文字列が水平になり、判読し易くなっている。
【０００８】
しかし、係る携帯電話機は、縦長のディスプレイ画面を横長に使用するための折り畳み式携帯電話機であって、使用者の携帯電話機の持ち方に応じて縦長のディスプレイ画面の傾斜角度を任意の角度で調整して水平にするものではない。また、係る携帯電話機においてはディスプレイ画面の向く方向を使用者の視線に対し直角になるように画面の向きを調整することができなかった。
【０００９】
【発明が解決しようとする課題】
本発明は、前記実情に鑑みてなされたものであって、メール通信やインターネット接続時等においてディスプレイ画面を見ながらプッシュボタンを操作する場合等に、本体部を三次元で傾斜した状態で把持した場合でも、表示部の向く方向及びその左右の傾斜を自在に調整可能とすることにより、親指でプッシュボタンを押し易い状態を保ちながら、使用者がディスプレイ画面の水平線を自分の目線に水平に調節することが容易で、従ってディスプレイ画面の向きを使用者の視線に対して容易に直角に保持することができる携帯情報端末機を提供することを課題とするものである。
【００１０】
【課題を解決するための手段】
前記課題を解決するため、本発明は、表面に操作部を有する本体部と表面にディスプレイ画面を有する板状の表示部とが、接続部により一体的に連結されているとともに、前記表示部は前記接続部においてその縦方向の軸線を中心として回動可能且つ本体部の縦方向の軸線に対して左右方向の内少なくとも一方に傾動可能な携帯情報端末機とすることで、使用者が前記本体部を縦長に把持してこれを操作するとき、前記ディスプレイ画面が傾斜したりその向きが視線からずれた場合に、これを水平にするとともに、その向きを使用者の視線に直角に調節することができるようにした。
【００１１】
また、前記表示部を、その縦方向の軸線が前記本体部に対して略横向きになるまで傾動可能とすれば、縦長画面を横長画面としても使用できるようになる。
更に、前記本体部と前記表示の表面同士を互いに１８０度よりも狭角の角度を有して連結すれば、携帯電話機として使用する場合、音声通信時に送話口を使用者の口に近接させると同時に受話口を使用者の耳に近接させることができ、携帯電話機における音声通信に良好な形状となり、前記本体部と前記表示部をそれぞれの表面同士を内側にして互いに開閉可能とすれば、不使用時には折り畳んでコンパクトにすることもできる。
【００１２】
そして、前記接続部に自在蝶番及び前記表示部がその縦方向の軸を中心として回動可能な枢着部を備えたり、前記本体部と前記表示部とを開閉可能に接続する第１枢着部と、前記第１枢着部の軸に直交する軸を中心に前記表示部を前記本体部の縦方向の軸線に対し傾動可能な第２枢軸着部と、前記表示部をその縦方向の軸線を中心に回動可能に本体部に接続する第３枢着部とを備える接続部とすることにより、簡易な構成により実施することができる。
【００１３】
【発明の実施の形態】
次に、本発明における実施の形態について、図面を参照して詳細に説明する。尚、異なる実施の形態においても同一構成部には同一の符号を付して説明する。
【００１４】
図１乃至図４は、本発明における第１の実施の形態を示すものであり、表示部２が、本体部１に接続部８を介して一体的に連結された携帯情報端末機を示している。この携帯情報端末機は、表示部２の表面と本体部１の表面同士が互いに角度を有して連結されているとともに、表示部２は本体部１の縦方向の軸線に対し左右方向に傾動可能に連結されている。また、表示部２はその縦方向の軸線を中心に回動可能に本体部に接続されている。尚、この携帯情報端末機は、接続部８により表示部２と本体部１が連結されているが、折り畳み式の携帯情報端末機ではなく、本体部１と表示部２はそれぞれの表面を内側にして開閉することはできない。
【００１５】
これを更に詳しく説明すると、図１に示すように、本体部１にはプッシュボタン等を配置した操作部４が設けられ、操作部４の下部には送話口９が設けられている。また、表示部２にはディスプレイ画面３が設けられ、ディスプレイ画面３の上方には受話口１０が配置されている。
本体部１と表示部２は全体としてほぼ同一の形状であるが、図２に示すように、表示部２の方が本体部より薄い板状である。また、これらは左側面から見ると略「く」字状を形成して接続部８で連結されている。係る形状により、携帯電話機として使用する場合、音声通信時に送話口９を使用者の口に近接させると同時に受話口１０を使用者の耳に近接させることができ、快適な通話状態を確保することができる。尚、この角度は、図面においては約１６０度であるが、これに限らず適宜設定することができる。
【００１６】
また、図３に示すように、表示部２は第１枢着部８ａを中心に本体部の縦方向の軸線Ａ対し左右に傾動可能に本体部１に接続されている。これにより、使用者が本体部１を片手で把持して操作部４を操作する場合に、操作しやすいように把持したときに本体部１と表示部２が傾斜しても、表示部２をこの傾斜を補正する角度に傾動させることにより、使用者はディスプレイ画面３における水平線を水平に目視することができる。尚、この携帯情報端末機の表示部２の最大傾斜角度は、図面において左右に約１５度であるが、これに限らず適宜設定することができる。
【００１７】
更に、表示部２は、第２枢着部８ｂを中心にその縦方向の軸線を中心として回動可能に接続されており、左右両方向に回動させることができる。図４は、表示部２を右方向に９０度回動させた状態を示している。この第２枢着部により、使用者がディスプレイ画面３を目視しながらメール通信等の操作をする場合において、操作し易いように本体部１を把持したときにディスプレイ画面３を使用者の視線に対し直角方向に向くように調節することができる。
【００１８】
図５乃至図８は、本発明における第２の実施の形態を示すものであり、表示部２が本体部１に対して、それぞれの表面同士を内側にＸ軸を中心として接続部５により開閉可能に蝶着された、所謂折り畳み式の携帯情報端末機である。この携帯情報端末機は、表示部２がＹ軸を中心に本体部１の縦方向の軸線に対し左右に傾動可能に首部５ｄを介して接続されているとともに、表示部２の縦方向の軸線を中心に表示部２が回動可能に接続されている。
【００１９】
これを更に詳しく説明すると、図５は本実施の形態における折り畳み式の携帯情報端末機を完全に拡開した状態を示している。
接続部５は、第１枢着部５ｆと第２枢着部５ｇと第３枢着部５ｈとからなる。第１枢着部５ｆは本体部１の操作部４の上部に設けられた支持部材５ａ，５ａと、これらにより両端外周部がＸ軸を中心に回動可能に支持された筒状体５ｂとからなる。これにより本体部１と表示部２とが開閉可能となるが、本実施の形態においては、係る開閉角度は任意の角度において固定することもできる。
【００２０】
第２枢着部５ｇは、筒状体５ｂに設けられた楕円状の切り欠き部５ｃにＸ軸に直交して接続され、筒状体５ｂより小径の筒体からなる首部５ｄが、Ｙ軸を中心に本体部１の縦方向の軸線に対し左右方向に各々傾動可能に筒状体５ｂに接続されてなっている。第３枢着部５ｈは、表示部２と首部５ｄが表示部２の縦方向の軸線を中心して回動可能に接続されてなっている。
【００２１】
図６は、図５の携帯情報端末機における表示部２を、本体部１の縦方向の軸線Ａに対し方向線Ｃに向けて約１６度傾動させた状態を示す。これは、首部５ｄが筒状体５ｂの切り欠き部５Ｃに挿入されて、筒状体５ｂにＹ軸を中心に左右に傾動可能に枢着されていることによる。この枢着方法は特に限定はないが、Ｙ軸方向から筒状体５ｂに首部５ｄの下端を貫通して軸棒を設けること等により設けてもよい。これにより、表示部２を本体部１の縦方向の軸線Ａに対し左右に傾動させ、使用者にとってディスプレイ画面３の水平線を、目視しやすい水平状態に調節し保持することができる。尚、方向線Ｂは、表示部２が方向線Ｃと反対方向に傾動可能な方向を示している。尚、この最大傾斜角度は図面では左右に各々約１６度であるが、これに限らず適宜設定することができる。
【００２２】
図７は、図５の携帯情報端末機において、表示部２をその縦方向の軸線を中心にして左方向に約１５度回動させた状態を示している。
表示部２は、筒状体５ｂに接続された筒状の首部５ｄに、第３枢着部５ｈにおいて回動可能に接続されており、表示部２をその縦方向の軸線Ｚを中心にして回動させ、ディスプレイ画面３を使用者の視線方向に直角に向けることができる。
【００２３】
図８のＡ，Ｂは、図５の携帯情報端末機を右手に把持して、ディスプレイ画面３を目視しながら操作部４のプッシュボタンを親指で操作している状態を示している。
従来の折り畳み式の携帯情報端末機においては、これを操作するとき右利きの使用者の場合は把持している右手の親指でプッシュボタンを操作し易いように把持するため、右手で握るとどうしても、携帯情報端末機は三次元の角度を形成し、図８のＡに示す携帯情報端末機のように携帯情報端末機の本体部１及び表示部２は左傾斜となり、又、その操作部４及びディスプレイ画面３は、使用者にとって右方向に向いてしまう。
【００２４】
そこで、図８のＢにおいて示すように、例えば表示部２を本体部１の縦方向の軸線に対し、右方向に傾動させ、使用者にとってディスプレイ画面３の水平線を水平にするとともに、表示部２の本体部１に対する拡開角度を適宜調節してディスプレイ画面３の上下方向の向きを合わせながら、表示部２の縦方向の軸を中心に左方向に例えば約１５度回動させ、ディスプレイ画面３を使用者の視線に対して直角に向けた状態にして固定した状態とした。
このように、各使用者が携帯情報端末機を使用するに当たり、表示部２又は操作部４を３つの方向（三次元）に角度を調節することにより、ディスプレイ画面３を使用者の視線に平行かつ直角に向けることができると同時に、操作部４の操作面が使用者の親指の方向に向き、親指の先でプッシュボタンを直角に近い状態で押すことができるようになる。
【００２５】
図９，図１０は、図１の携帯情報端末の表示部２のディスプレイ画面３を横長の大型画面とした実施の形態における携帯情報端末機を示す。係る携帯情報端末機は、小型のパーソナルコンピュータの場合は、メール通信のみならず、インターネットや文章作成・表計算等のディスプレイに十分な表示能力を必要とする通常のコンピュータ操作にも適している。また、図１の携帯情報端末機と同様に、図１０に示すようにディスプレイ画面３を、左方向に回動させるとともにその縦方向の軸線に対し右方向に傾動させることにより、前述同様にディスプレイ画面３が使用者の方向に向き、その水平線を使用者に対し水平にすることができ、同時に操作部４の操作面が使用者の親指の方向に向き、親指の先でプッシュボタンを直角に近い状態で押すことができようになる。
【００２６】
図１１は、図８の携帯情報端末機を図９の携帯情報端末機と同様にディスプレイ画面３を横長大画面とした実施の形態の携帯情報端末機を示すものであり、図１２は、これを折り畳んだ状態を示す。係る情報携帯端末機は、例えば小型のパーソナルコンピュータであっても、小さく折り畳むことができ、ポケット等に入れても邪魔にならない状態で携帯することができる。尚、図１２は、携帯情報端末機を内側に２つ折りに折り畳んで、表示部２のディスプレイ画面３（図示せず）を本体部１の操作部４（図示せず）で覆うようにした状態を示しているが、係る表示部２は本体部１の操作部４に対するカバー部材としての役割も有している。
【００２７】
図１３は、本発明における第３の実施の形態を示すものである。これは、携帯情報端末機の表示部２を、本体部１の操作部４の上端部に突出して設けた自在継手（ユニバーサルジョイント）により接続するとともに、表示部２の縦方向の軸線を中心として回動可能とした実施の形態を示している。
【００２８】
これを更に詳しく説明すると、自在継手６は、本体部１における操作部４の上端部にジョイントボール６ｂがその半径より大きく突出して支持部材６ａにより支持されている。支持部材６ａは、首部６ｄが所定範囲に可動となる切り欠き部６ｃを有する。係る切り欠き部６ｃは、表示部２を閉じる方向に狭く、開く方向に広くなっている。これにより、表示部２を閉じる場合は本体部１に正確に重なるようになり、表示部２開いた状況ではこれを多方向に自在に向けることができる。
【００２９】
また、本実施の形態における携帯情報端末機は、図５の携帯情報端末機と同様に表示部２をその縦方向の軸線を中心として回動する機構を有するが、この携帯電話機は表示部２を所定の方向に傾けるのに、直線的にその位置まで動かすことができる。図１４は図９の自在継手６における可動範囲を大きくした携帯情報端末機を示しており、可動範囲の大きな自在継手６ｅを有するとともに本体部１と表示部２の接続部側の肩を丸く切り欠いて、表示部２の可動範囲をさらに大きくした携帯情報端末機の一例である。
【００３０】
図１５は、本発明における第４の実施の形態を示すものである。これは、図５の携帯情報端末機における表示部２の可動範囲をさらに広げ、本体部１の縦方向の軸線に対する左右方向の傾動範囲を大きくし、当初縦長であったディスプレイ画面３を左右に大きく傾動させることにより、横長画面として目視できるようにした携帯情報端末機を示す。
【００３１】
これを更に詳しく説明すると、表示部２は接続部７により本体部１に連結されている。接続部７は、図５の携帯情報端末機と同様に、第１枢着部７ｆと第２枢着部７ｃと第３枢着部７ｅとからなる。第１枢着部７ｆは、本体部１の表面上端に突出して設けられた支持部材７ａ，７ａ及びこれにより回動可能に枢着された筒状体７ｂとからなり、表示部２と本体部１とを、互いにそれぞれの表面を内側にしてＸ’軸を中心に開閉させる。第２枢着部７ｃは、第１枢着部７ｆ上においてそのＸ’軸に対し直交するＹ’軸を中心として、本体部１の縦方向の軸線に対して左右方向にその縦軸が本体部１に対し横向きになるまで表示部２を傾動可能に本体部１に接続してなっている。また、図５の携帯情報端末機と同様に、表示部２はその縦方向の軸線を中心に第３枢着部７ｅにより、本体部１に対し回動可能に枢着されている。尚、本実施の形態においては、その本体部１及び表示部２の接続部側の角が丸く切り欠いてあり、表示部２を深く傾動可能としている。
【００３２】
これにより、係る携帯情報端末機は、本体部１の縦方向の軸線に対して、図５の携帯情報端末機よりもさらに左右方向に大きく傾動させることができ、縦長のディスプレイ画面３を横長に使用することができるとともに、その傾斜角度を適宜調整して画面の横方向の水平線を使用者にとって水平に調節することができる。また、ディスプレイ画面３をその長手方向の軸を中心に回転させることにより、縦長画面の状態では画面の左右方向の向きを、横長画面の場合は上下方向の向きを容易に調整することができる。尚、係る携帯情報端末機においては、ディスプレイ画面３の縦と横の画面表示をその傾斜に対応して、自動的または手動により切り換える機構を設けても良い。
【００３３】
また、上述した４つの実施の形態において、本体部１から表示部２への配線は、接続部における筒状体及び首部を中空にし、または自在継手のジョイントボールの底部を切り欠くとともにその内部および首部を空洞にすることで、これらの中を貫通して設けることができる。また、係る配線は、複数のコードやフィルム上の配線を接続部の可動範囲に対応して長さに余裕を持って配設する必要がある。尚、自在継手以外の接続部においては配線を回転接触により接続することも可能である。
【００３４】
一方、これらの実施の形態において首部と表示部との接続は、回動方向に小刻みに、または任意位置に所定の抵抗を有して固定できるようにすれば、使用者の目視し易い方向にディスプレイ画面を向けて固定することができるようになる。係る構造は特に限定はないが、例えば接続部における首部の先端外周に複数の凹部を設けるとともに、表示部における首部を挿入する孔の内側面に弾性体による凸部を設け、これらが係合して所定位置において抵抗する構造を枢着部に設けてもよい。
【００３５】
更に、表示部における本体部の縦方向の軸線に対する左右方向への傾動は、最大傾斜までの間に小刻みに、または任意の角度で固定可能とする機構を設ければ、使用者毎に応じた適宜の傾斜角度に固定することができる。また、折り畳み式の携帯電話機においては、開閉角度も同様に調節可能な機構を設けることで、ディスプレイ画面の上下方向の角度（拡開角度）も調節可能となり、目視し易い角度を容易に保持することができる。
【００３６】
尚、ディスプレイ画面の傾斜及び向きを調整しても、本体部における操作部のプッシュボタン上の数字及び文字はそのままの傾斜及び向きのままであり、係るプッシュボタンを操作する場合は、その数字等は目視しにくい状態である。そこで、その数字等をその傾斜または向きのうち少なくとも一つを補正するフォログラムで作成すれば、あらゆる角度で本体部を把持してもプッシュボタン上の数字等をはっきりと読み取ることができる。
また、自在継手は任意の角度においてある程度の固定力があるが、さらに固定力を強くする方法としては、ジョイントボールの下半分の球面に複数の凹部を設け、支持部材の対応する内曲面に前記凹部に係合する凸部をボール方向に付勢させて設ければ、所定の方向で保持することができる。
【００３７】
【発明の効果】
以上のように、本発明によれば、ディスプレイ画面を見ながらプッシュボタン等を操作するメール通信や文書作成等の場合に、傾斜した状態で携帯情報端末機の本体部を把持した場合でも、ディスプレイ画面の向く方向及びその左右の傾斜を三次元の角度で自在に調整可能とすることにより、その向きを使用者の視線に対して最も視認しやすい直角方向に容易に保持できるとともに、画面の水平線を使用者にとって水平に保持することができる。これにより、使用者にとって画面表示が見やすくなると同時に、携帯情報端末機を片手で把持して操作する親指に対し操作面を容易に直角に保つことができるため、最も操作がし易く疲労の少ない快適な状態で携帯情報端末機を操作することができるようになる。
【図面の簡単な説明】
【図１】本発明における第１の実施の形態の携帯情報端末機を示す正面図である。
【図２】図１の携帯情報端末機の左側面図である。
【図３】図１の携帯情報端末機における表示部を、右方向に傾斜させた状態を示す正面図である。
【図４】図１の携帯情報端末機における表示部を、その縦軸を中心に右方向に９０度回転させた状態を示す正面図である。
【図５】本発明における第２の実施の形態の携帯情報端末機を示す斜視図である。
【図６】図５の携帯情報端末機における表示部を、右方向に傾斜させた状態を示す斜視図である。
【図７】図５の携帯情報端末機における表示部を、その縦軸を中心に右方向に回転させた状態を示す正面図である。
【図８】図５の携帯情報端末機を操作している状態を示す斜視図である。
【図９】図１の携帯情報端末機のディスプレイ画面を横長大画面とした携帯情報端末機を示す正面図である。
【図１０】図９の携帯情報端末機における表示部を、本体部の縦方向の軸線に対し右方向に傾斜させ、ディスプレイ画面をその縦軸を中心に左方向に向けた状態において操作をしている状態を示す斜視図である。
【図１１】図８の携帯情報端末機のディスプレイ画面を横長大画面とした情報携帯端末を示す斜視図である。
【図１２】図１１の携帯情報端末機を折り畳んだ状態を示す正面図である。
【図１３】本発明における第３の実施の形態の携帯情報端末機において接続部を示す部分斜視図である。
【図１４】図１３の携帯情報端末機における接続部の可動域をさらに広げた一例を示す部分斜視図である。
【図１５】本発明における第４の実施の形態の携帯情報端末機において、ディスプレイ画面を右方向に傾斜させて横長画面にした状態を示す斜視図である。
【符号の説明】
１　本体部、２　表示部、３　ディスプレイ画面、４　操作部、５，６，７，８　接続部、５ａ，６ａ，７ａ　支持部材、５ｂ，７ｂ　筒状体、６ｂ　ジョイントボール、５ｃ，６ｃ　切り欠き部、５ｆ，５ｇ，５ｈ，６ｅ，７ｃ，７ｅ，７ｆ，８ａ，８ｂ　枢着部、　５ｄ，６ｄ，７ｄ　首部、９　送話口、１０　受話口
【図１】
2004032080.tif 000003
【図２】
2004032080.tif 000004
【図３】
2004032080.tif 000005
【図４】
2004032080.tif 000006
【図５】
2004032080.tif 000007
【図６】
2004032080.tif 000008
【図７】
2004032080.tif 000009
【図８】
2004032080.tif 000010
【図９】
2004032080.tif 000011
【図１０】
2004032080.tif 000012
【図１１】
2004032080.tif 000013
【図１２】
2004032080.tif 000014
【図１３】
2004032080.tif 000015
【図１４】
2004032080.tif 000016
【図１５】
2004032080.tif 000017